(57)【要約】      （修正有）【課題】戸窓に補助ロック装置を設け戸窓の鍵掛忘れや換気を設けたい時に鍵の掛忘れによる事件を防止したり、主錠の他に容易に戸窓が開けられないように設け、戸窓からの侵入を防止する。【解決手段】本体保持Ｈ型金具３を下部レール４に平板抑え金具５を用いて固定し取り付ける。可動保持本体１を水平にした時、可動保持本体１の平面に設けた調節付きＬ型金具１３が外側ガラス障子固定金具１４に嵌入され外側ガラス障子が補助ロックされ、つぎに可動保持本体１に設けた可動保持部２はスライドが出来るようになる。可動保持本体１の平面には押しピン孔１０．１１．１２が設けてあり、押しピン支えスプリング１９の作用によって押しピン孔１０．１１．１２から可動保持部調節固定用押しピン９が凸起して可動保持部２を一定のスライド位置で固定する事ができ、内側ガラス障子戸が開けられないようになる。【選択図】図１
0003106342.tif 000002
【実用新案登録請求の範囲】
【請求項１】
可動保持本体に可動保持部を設け、本体保持Ｈ型金具を下部レールの一部に平板抑え金具で抑え取り付け固定し、可動保持本体は本体保持軸を設け、可動保持本体と本体保持Ｈ型金具の間にスプリングワッシャーを両側に挟み、本体保持軸の可変を抑えスプリングワッシャーの適度な負荷により、可動保持本体の過重による倒れなども抑え、可動保持本体をどの角度位置でも支持する事ができる様に装置し、また可動保持本体を水平に保ち固定出来るように、本体保持Ｈ型金具に設けてある押しピン用孔に嵌脱可能な本体固定用押しピンを可動保持本体の側面に設け、外側ガラス障子に戸当り交叉防止具のついた外側ガラス障子固定金具を固定取り付け、可動保持本体に設けた調節付きＬ型金具が可動保持本体が水平に降りた位置のときに外側ガラス障子固定金具に嵌入するように設け、外側ガラス障子が開けられないように、外側ガラス障子固定金具と調節付きＬ型金具よって外側ガラス障子が補助ロックされる。このようなことが出来ることを特徴とする戸窓用防犯の戸窓補助ロック装置。
【請求項２】
可動保持本体に設けた可動保持部はスライドが出来るように設けてあり、可動保持本体の平面にはいくつかの押しピン孔が設けてあり、可動保持部の中に取り付けられている可動保持部調節固定用押しピンは押しピン支えスプリングに支持固定されていて、可動保持部をスライドする時には可動保持部調節固定用押しピンの頭部分を押し込むようにすると、押しピン支えスプリングの作用によって容易に可動保持本体の平面に設けられている押しピン孔から可動保持部調節固定用押しピンが凸起して、可動保持部を一定のスライド位置で固定する事ができる。内側ガラス障子戸が開けられないように可動保持本体を水平にしたときに設けた可動保持部の長さ調節により、衝止用押しピンを可動保持部の先端に差込み取り付け、内側ガラス障子戸の窓枠に接触するように衝止用押しピンの面が当るように位置固定することにより、内側ガラス障子戸は補助ロックされる。また使用によって、可動保持部はスライド位置で固定する事が出来るため、内側ガラス障子戸の換気などの隙間を設けることができるが戸窓は補助ロックされながらの隙間の為外部からの侵入は防止できるこのようなことを特徴とする戸窓用防犯の戸窓補助ロック装置。
【請求項３】
上部のレールにも同様に取り付ける事が可能であり、可動保持本体と可動保持部の形状は三角など他の形も同様な作用をもたらす事が出来ることを特徴とする戸窓用防犯の戸窓補助ロック装置。
【考案の詳細な説明】
【技術分野】
【０００１】    本考案は、可動保持本体を取り付ける本体保持Ｈ型金具を下部レールに平板抑え金具を用いて固定取り付ける。外側ガラス障子固定金具を外側ガラス障子枠に固定取り付けし、可動保持本体を水平にした時、可動保持本体の平面に設けた調節付きＬ型金具が外側ガラス障子固定金具に嵌入され外側ガラス障子が補助ロックされる。
つぎに、可動保持本体に設けた可動保持部はスライドが出来るように設けてあり、可動保持本体の平面にはいくつかの押しピン孔が設けてあり、可動保持部の中に取り付けられている可動保持部調節固定用押しピンは押しピン支えスプリングに支持固定されていて、可動保持部をスライドする時には可動保持部調節固定用押しピンの頭部分を押し込むようにすると、押しピン支えスプリングの作用によって容易に可動保持本体の平面に設けられている押しピン孔から可動保持部調節固定用押しピンが凸起して可動保持部を一定のスライド位置で固定する事ができ、内側ガラス障子戸が開けられないように可動保持本体を水平にしたときに設けた可動保持部の長さ調節により、衝止用押しピンを可動保持部の先端に差込み取り付け、内側ガラス障子戸の窓枠に接触するように衝止用押しピンの面が当るように位置固定することにより、内側ガラス障子戸は補助ロックされるよう設けた。戸窓用防犯の戸窓補助ロック装置に関するものである。
【背景技術】
【０００２】  戸窓の換気時に、主錠を外して戸窓を開けなければならなかった。また鍵の掛忘れなども置きやすく、戸締まり不用心となったり、主錠一個のため部分ガラスの破損による侵入の容易差や戸窓本体を外す事が出来た。
【考案の開示】
【考案が解決しようとする課題】
【０００３】  換気の為の鍵の解除をするため、鍵の掛忘れがおきた。また主錠一個のための問題もありさらに戸窓事外される事もある。従って堅固な窓枠に固定した補助錠と換気を取り入れながら戸窓が開けられないようにした機能付き補助錠を取り付けることにより、前述の欠点を解決しようとするものである。
【課題を解決するための手段】
【０００４】  本考案は、可動保持本体を取り付ける本体保持Ｈ型金具を下部レールに平板抑え金具を用いて固定取り付ける。外側ガラス障子固定金具を外側ガラス障子枠に固定取り付けし、可動保持本体を水平にした時、可動保持本体の平面に設けた調節付きＬ型金具が外側ガラス障子固定金具に嵌入され外側ガラス障子が補助ロックされる。
つぎに、可動保持本体に設けた可動保持部はスライドが出来るように設けてあり、可動保持本体の平面にはいくつかの押しピン孔が設けてあり、可動保持部の中に取り付けられている可動保持部調節固定用押しピンは押しピン支えスプリングに支持固定されてていて、可動保持部をスライドする時には可動保持部調節固定用押しピンの頭部分を押し込むようにすると、押しピン支えスプリングの作用によって容易に可動保持本体の平面に設けられている押しピン孔から可動保持部調節固定用押しピンが凸起して可動保持部を一定のスライド位置で固定する事ができ、内側ガラス障子戸が開けられないように可動保持本体を水平にしたときに設けた可動保持部の長さ調節により、衝止用押しピンを可動保持部の先端に差込み取り付け、内側ガラス障子戸の窓枠に接触するように衝止用押しピンの面が当るように位置固定することにより、内側ガラス障子戸は補助ロックされるよう設けることにより問題点を解決している。
【考案の効果】
【０００５】  上述のように、本考案の戸窓用防犯の戸窓補助ロック装置はレールに本体保持Ｈ型金具本体を固定することにより、堅固な可動保持本体を設ける事が出来、可動保持本体に設けた外側ガラス障子固定金具と調節付きＬ型金具によるロック機能で戸窓を外す事ができないように工夫されている。また可動保持本体に設けた可動保持部は内側ガラス障子戸の窓枠に接触するように長さが調整でき、衝止用押しピンの面が当るように位置固定することにより、内側ガラス障子戸は補助ロックされる。形状がシンプルに仕上げているため、戸窓の美感も損なわず外部からも補助ロックは見えない、さらに可動保持部の自在な調整による窓換気も容易に出来るが、一定の窓空き隙間の為に窓は容易に開けられないため防犯の効果として役立つ。
【考案を実施するための最良の形態】
【０００６】  可動保持本体を取り付ける本体保持Ｈ型金具を下部レールに平板抑え金具を用いて固定取り付け、外側ガラス障子固定金具を外側ガラス障子枠に固定取り付けし、可動保持本体を水平にした時、可動保持本体の平面に設けた調節付きＬ型金具が外側ガラス障子固定金具に嵌入され外側ガラス障子が補助ロックされる。
また、可動保持本体に設けた可動保持部はスライドが出来るように設けてあり、可動保持本体の平面にはいくつかの押しピン孔が設けてあり、可動保持部の中に取り付けられている可動保持部調節固定用押しピンは押しピン支えスプリングに支持固定されていて、可動保持部をスライドする時には可動保持部調節固定用押しピンの頭部分を押し込むようにすると、押しピン支えスプリングの作用によって容易に可動保持本体の平面に設けられている押しピン孔から可動保持部調節固定用押しピンが凸起して可動保持部を一定のスライド位置で固定する事ができ、内側ガラス障子戸が開けられないように可動保持本体を水平にしたときに設けた可動保持部の長さ調節により、衝止用押しピンを可動保持部の先端に差込み取り付け、内側ガラス障子戸の窓枠に接触するように衝止用押しピンの面が当るように位置固定することにより、内側ガラス障子戸は補助ロック可能となる。解除にあたっては、本体固定用押しピンの頭部分を押し込むようにすると、押しピン支えスプリングの作用によって容易に可動保持本体を解除でき窓枠に立てる事により、窓の美感を損なう事等もなく、取り付け戸窓は広い範囲で簡易に取り付ける事が可能である。
【実施例】
【０００７】  以下、添付図面に従って一実施例を説明する。耐久性と腐食等しにくいアルミ材などの軽量適宣素材をもちいて可動保持本体１および可動保持部２並びに本体保持Ｈ型金具３などで構成されている。本体保持Ｈ型金具３は下部レール４に平板抑え金具５とネジ２０により固定され、本体保持Ｈ型金具３に可動保持本体１は本体保持軸６で保持されスプリングワッシャー２１の負荷により可動保持本体１が適度な位置角度で止まり倒れてくる事等がないように設けられた。可動保持本体１を水平に保持する時、本体固定用押しピン７と押しピン用孔８により固定される。外側ガラス障子固定金具１４に調節付きＬ型金具１３が嵌入されることにより外側ガラス障子が補助ロックされる。外側ガラス障子固定金具１４には指などが挟まれないように戸当り交叉防止具１６を設けてあり、調節付きＬ型金具１３は外側ガラス障子固定金具１４の取り付け位置により調整可能な楕円の調節付き穴を設けてありネジ１８，１８で固定出来るように設けてある。【０００８】  可動保持部２の先端には衝止用押しピン１５を設けてあり、可動保持部調節固定用押しピン９と押しピン孔１０．１１．１２の位置により長さを調節し固定する事が出来る。また可動保持本体１は本体固定用押しピンの解除により窓枠１７に垂直に保たれる。【０００９】  本考案の一実施例は上述の如き構成からなるものであるから、解除にあたっては、本体固定用押しピンの頭部分を押し込むようにすると、押しピン支えスプリングの作用によって容易に可動保持本体を解除される。
【図面の簡単な説明】
【００１０】
【図１】本考案の斜視図
【図２】本考案の一部を切り欠いた正面図
【図３】本考案の実施例を示す左側面図
【図４】本考案の補助ロック実施例を示す写真
【図５】本考案の補助ロック解除実施例を示す写真
【符号の説明】
【００１１】１  可動保持本体
２  可動保持部
３  本体保持Ｈ型金具
４  下部レール
５  平板抑え金具
６  本体保持軸
７  本体固定用押しピン
８  押しピン用孔
９  可動保持部調節固定用押しピン
１０  押しピン孔
１１  押しピン孔
１２  押しピン孔
１３  調節付きＬ型金具
１４  外側ガラス障子固定金具
１５  衝止用押しピン
１６  戸当り交叉防止具
１７  窓枠
１８  ネジ
１９  押しピン支えスプリング
２０  ネジ
２１  スプリングワッシャー
【図１】
0003106342.tif 000003
【図２】
0003106342.tif 000004
【図３】
0003106342.tif 000005
【図４】
0003106342.tif 000006
【図５】
0003106342.tif 000007
【手続補正書】
【提出日】平成16年7月15日(2004.7.15)
【手続補正１】
【補正対象書類名】実用新案登録請求の範囲
【補正対象項目名】全文
【補正方法】変更
【補正の内容】
【実用新案登録請求の範囲】
【請求項１】
（１）可動保持本体に可動保持部を設け、下部レールに取り付け固定する部分可動保持本体を保持する部分と一体化している本体保持Ｈ型金具を下部レールに平板抑え金具で、抑え取り付け固定する。
（２）本体保持軸に可動保持本体を設け、可動保持本体と本体保持軸の間に設けたスプリングワッシャーを可動保持本体の両側面に備える事により適度な負荷が係り、可動保持本体を自在な角度位置で支持する事が出来るように装置した。
（３）可動保持本体を水平に保ち固定出来るように、本体保持Ｈ型金具に設けてある押しピン用孔に嵌脱可能な本体固定用押しピンを可動保持本体の側面に設ける。
（４）つぎに、外側ガラス障子などに、戸当り交叉防止具のついた外側ガラス障子固定金具を固定するように取り付ける。
（５）可動保持本体側面に設けた調節付きＬ型金具は、可動保持本体が水平に降りた位置のときに外側ガラス障子に固定した外側ガラス障子固定金具に嵌入し、外側ガラス障子戸は固定され、外側ガラス障子固定金具と調節付きＬ型金具によって外側ガラス障子が補助ロックされる。
（６）可動保持本体に設けた可動保持部はスライドが出来るように設けてある。
（７）可動保持本体の平面にはいくつかの押しピン孔が、設けてあり、可動保持部の中に取り付けられている可動保持部調節固定用押しピンは、押しピン支えスプリングに支持固定されていて、可動保持部をスライドする時には、可動保持部調節固定用押しピンの頭部を孔に押し込むようにすると、押しピン支えスプリングの作用によって容易に可動保持部本体の平面に設けられている押しピン孔から可動保持部調節固定用押しピンが凸起して、可動保持部を一定のスライド位置で固定する事が出来るように装置した。
（８）つぎに、内側ガラス障子戸が開けられないように、可動保持本体を水平にした時に引き戸面の反対側の内側ガラス障子戸の縦枠の桟の面側に可動保持部に設けた衝止用押しピン面が可動保持本体に設けた可動保持部調節により当り、内側ガラス障子戸の遊び面がなくなり、内戸が固定されるため内戸の戸を引き事が出来なくなる。
（９）可動保持部の先端に、衝止用押しピンを設け、内側ガラス障子戸の窓枠に接触するように衝止用押しピンの面部を当てるように位置固定すると、内側ガラス障子戸は補助ロックされる。
（１０）可動保持部は複数に設けてある押しピン孔の適度な位置でスライドする事が可能な為に、内側ガラス障子戸の換気するとき等の窓にわずかでは有るが隙間を設ける事出来る
（１１）戸窓は補助ロックされつつ、換気用隙間窓を得る事が出来るゆえに、戸窓の締め忘れなどを生じた場合でも、戸窓は補助ロックされている状態を保ち、外部からの侵入も防止出来る。
（１２）上部のレール位置にも同様に取り付ける事が可能であり、また可動保持本体と可動保持部の形状は三角など他の形状でも同様な作用効果をもたらす事が出来る。
このような事を特徴とする戸窓用防犯の戸窓補助ロック装置。